(57)【要約】      （修正有）【課題】分散された多数の供給経路を通して液晶表示パネル内に基準電圧信号を供給することにより、画質の向上を図った液晶表示装置の提供。【解決手段】液晶表示パネルの各画素を駆動させるための各信号線のうち基準電圧信号が供給されるコモンバスラインを有し、前記半導体装置はフレキシブル基板に半導体チップが搭載されて構成され、少なくとも、前記フレキシブル基板には前記半導体チップを介して前記液晶表示パネルの前記信号線に信号を供給するための端子に導く配線を備え、前記液晶表示パネルの前記コモンバスラインへの基準電圧信号の供給は、少なくとも前記半導体装置のフレキシブル基板に形成されたコモン配線を介してなされ、当該フレキシブル基板上のコモン配線は、前記半導体チップの搭載領域外の領域、及び前記半導体チップの搭載領域を横切る領域のそれぞれに形成される。【選択図】図１
2008287038.tif 000002
【特許請求の範囲】
【請求項１】
液晶表示パネルと、この液晶表示パネルの周辺の一部に接続される半導体装置とを備え、
前記液晶表示パネルは、液晶を介して対向配置される一対の基板のうち一方の基板に、各画素を駆動させるための各種信号を供給する複数の信号線を備え、これら各信号線のうち基準電圧信号が供給されるコモンバスラインを有し、
前記半導体装置はフレキシブル基板に半導体チップが搭載されて構成され、少なくとも、前記フレキシブル基板には前記半導体チップを介して前記液晶表示パネルの前記信号線に信号を供給するための端子に導く配線を備え、
前記液晶表示パネルの前記コモンバスラインへの基準電圧信号の供給は、少なくとも前記半導体装置のフレキシブル基板に形成されたコモン配線を介してなされ、
当該フレキシブル基板上のコモン配線は、前記半導体チップの搭載領域外の領域、及び前記半導体チップの搭載領域を横切る領域のそれぞれに形成されることを特徴とする液晶表示装置。
【請求項２】
前記フレキシブル基板上のコモン配線は、前記半導体チップの搭載領域の両脇と前記半導体チップの搭載領域内の３本が形成されることを特徴とする請求項１に記載の液晶表示装置。
【請求項３】
前記一つのフレキシブル基板と前記コモンバスラインは、少なくとも３本のコモン配線で接続されていることを特徴とする請求項１に記載の液晶表示装置。
【請求項４】
前記半導体チップは映像信号駆動回路からなり、
当該走査信号駆動回路を搭載した前記フレキシブル基板は、基準電圧信号の入出力を行う少なくとも３箇所のコモン配線接続端を備えたことを特徴とする請求項１に記載の液晶表示装置。
【請求項５】
前記走査信号駆動回路を搭載した前記フレキシブル基板は、前記液晶表示パネルの対向する２辺のそれぞれに接続されることを特徴とする請求項４に記載の液晶表示装置。
【請求項６】
前記半導体チップは映像信号駆動回路からなり、
当該映像信号駆動回路を搭載した前記フレキシブル基板は、前記液晶表示パネルに近接して配置されるプリント基板の間に跨って配置され、
前記フレキシブル基板には、前記プリント基板側からの基準電圧信号を入力する少なくとも３本箇所のコモン入力接続端と、前記液晶表示パネルへ基準電圧信号を出力する少なくとも３箇所のコモン出力接続端を備えていることを特徴とする請求項１に記載の液晶表示装置。
【請求項７】
前記フレキシブル基板のコモン配線と前記コモンバスラインとの間の前記基板上に、基準電圧信号を供給する表示領域外コモン配線を備え、前記複数の半導体装置の前記表示領域外コモン配線間を相互に接続する第２のコモンバスラインを備えたことを特徴とする請求項１に記載の液晶表示装置。
【請求項８】
前記第２のコモンバスラインは、前記半導体チップの搭載領域を横切る領域に形成されたコモン配線と接続されないことを特徴とする請求項７に記載の液晶表示装置。
【発明の詳細な説明】
【技術分野】
【０００１】
本発明は液晶表示装置に係り、特に、その駆動回路としていわゆるテープキャリア方式の半導体装置を備えた液晶表示装置に関する。
【背景技術】
【０００２】
いわゆるアクティブ・マトリックス型の液晶表示装置は、その液晶表示パネルの各画素を駆動させる場合、その各画素列を、その各画素に備えられる薄膜トランジスタをゲート信号線を介して供給する走査信号によってオンさせることによって順次選択し、この選択のタイミングに合わせ、該画素列の各画素に他の画素列の対応する画素に共通に接続されたドレイン信号線を介して映像信号を供給するように構成されている。
【０００３】
このため、液晶表示パネルの前記ゲート信号線と直交する辺には複数の並設された半導体装置からなる走査信号駆動回路を備え、前記ドレイン信号線と直交する辺には複数の並設された半導体装置からなる映像信号駆動回路を備えて構成されている。
【０００４】
そして、走査信号駆動回路および映像信号駆動回路の各半導体装置として、いわゆるテープキャリア方式の半導体装置を用いたものが知られている。テープキャリア方式の半導体装置は、フレキシブル基板に半導体チップが搭載され、該半導体チップの端子が配線を介してフレキシブル基板の周辺に引き出されて構成されている。
【０００５】
該半導体装置は、そのフレキシブル基板の一辺部を液晶表示パネルの周辺の一部に接続させることによって、それらの対応する端子を電気的に接続させることができる。そして、このように液晶表示パネルに接続された該半導体装置を、そのフレキシブル基板の部分において、液晶表示パネルの面に対して垂直方向に指向させるように屈曲させることにより、いわゆる狭額縁化が図れる等の効果を奏する。
【０００６】
また、液晶表示パネルの各画素には、上述した走査信号、映像信号の他に、これら各信号に対して基準の電位を有する基準信号（以下、この明細書において基準電圧信号と称する。）を供給する必要があり、この場合において、前記半導体装置のフレキシブル基板に形成された配線を介して液晶表示パネル内の各画素に前記基準電圧信号を供給する技術がたとえば下記特許文献１によって開示されている。
【特許文献１】特開２００４−６２２０１号公報
【発明の開示】
【発明が解決しようとする課題】
【０００７】
上述した構成からなる液晶表示装置は、近年において、その液晶表示パネルの大型化および高精細化が図られる一方において、コスト削減の目的から、映像信号駆動回路や走査信号駆動回路を構成する半導体装置の数を減少させる傾向が生じている。
【０００８】
この場合、液晶表示パネルの高精細化に伴ってその画素数が増加することから、各半導体装置の端子数も増大させなくてはならない。一方、高精細化、大型化、動画画質向上のための高速駆動のために、各画素にそれぞれ供給する前記基準電圧信号も安定した出力であることが要求されることになる。
【０００９】
各画素に供給される基準電圧信号の電位が均一でなく、また不安定なものである場合に、各画素において液晶の分子を挙動させる電界が所定通りに発生せず、画質劣化を惹起させることになるからである。
【００１０】
したがって、液晶表示パネルの各画素に供給する基準電圧信号の安定化を図るためには、分散された多数の供給経路を通して液晶表示パネル内に該基準電圧信号を供給する構成が考えられるが、上述したように、半導体装置の数の減少に応じて、基準電圧信号の前記供給経路が大幅に減少してしまうという不都合が生じてしまうことになる。
【００１１】
本発明の目的は、分散された多数の供給経路を通して液晶表示パネル内に基準電圧信号を供給することにより、画質の向上を図った液晶表示装置を提供することにある。
【００１２】
なお、前記特許文献１は、液晶表示パネル内への基準電圧信号供給のために設けられる半導体装置のフレキシブル基板上の配線は、搭載される半導体チップの両脇にのみ形成されるものとなっており、本発明の構成とは区別されるものである。
【課題を解決するための手段】
【００１３】
上記目的を達成するための本発明の特徴は、液晶表示パネルと、この液晶表示パネルの周辺の一部に接続される半導体装置とを備え、前記液晶表示パネルは、液晶を介して対向配置される一対の基板のうち一方の基板の液晶封止領域面に、各画素を駆動させるための各種信号を供給する複数の信号線を備え、これら各信号線のうち基準電圧信号が供給されるコモンバスラインを有し、前記半導体装置はフレキシブル基板に半導体チップが搭載されて構成され、少なくとも、前記フレキシブル基板には前記半導体チップを介して前記液晶表示パネルの前記信号線に信号を供給するための端子に導く配線を備え、前記液晶表示パネルの前記コモンバスラインへの基準電圧信号の供給は、少なくとも前記半導体装置のフレキシブル基板に形成されたコモン配線を介してなされ、当該フレキシブル基板上のコモン配線は、前記半導体チップの搭載領域外の領域、及び前記半導体チップの搭載領域を横切る領域のそれぞれに形成されることである。
【００１４】
なお、本発明は以上の構成に限定されず、本発明の技術思想を逸脱しない範囲で種々の変更が可能である。
【発明の効果】
【００１５】
このような構成からなる液晶表示装置によれば、分散された多数の供給経路を通して液晶表示パネル内に基準電圧信号を供給でき、画質の向上を図ることが可能となる。
【発明を実施するための最良の形態】
【００１６】
以下、本発明による液晶表示装置の実施例を図面を用いて説明をする。
【００１７】
〈全体の構成〉
図１は、本発明による液晶表示装置の一実施例を示した概略平面図である。
【００１８】
まず、液晶表示パネルＰＮＬがあり、この液晶表示パネルＰＮＬは液晶（図示せず）を介して対向配置されたたとえばガラスからなる基板ＳＵＢ１（図中下側の基板）、基板ＳＵＢ２（図中上側の基板）を外囲器とする。
【００１９】
基板ＳＵＢ１は基板ＳＵＢ２よりも若干大きく構成され、これにより前記基板ＳＵＢ１は、たとえば図中下側辺を除く他の三辺の各部分の表面が前記基板ＳＵＢ２から比較的広い面積で露出された状態で配置されている。
【００２０】
基板ＳＵＢ１の前記三辺のそれぞれには後述する走査信号駆動回路である半導体装置ＣＨ（Ｈ）および映像信号駆動回路である半導体装置ＣＨ（Ｖ）が接続されるようになっているからである。
【００２１】
前記基板ＳＵＢ１に対する基板ＳＵＢ２の固定は、該基板ＳＵＢ２の周辺に配置され前記液晶の封入を兼ねるシール材ＳＬによってなされている。
【００２２】
液晶封止領域となる前記シール材ＳＬに囲まれた領域は、その若干の周辺部を除いた中央部において液晶表示領域ＡＲ（図中点線矩形枠で示す）を構成し、この液晶表示領域ＡＲはマトリックス状に配置された各画素の集合によって形成されている。
【００２３】
各画素は、前記半導体装置ＣＨ（Ｖ）、ＣＨ（Ｈ）によって独立に電界が発生され、当該画素の液晶の分子が挙動し、光透過率が変化するようになっている。
【００２４】
たとえば前記液晶表示パネルＰＮＬの背面にはバックライト（図示せず）が配置され、該バックライトからの光が各画素を介して観察者に至り、該観察者は映像を認識できるようになっている。
【００２５】
各画素は、基板ＳＵＢ１の液晶側の面の前記液晶表示領域ＡＲ内にて、図中ｘ方向に延在しｙ方向に並設されるゲート信号線ＧＬ（図２参照）、およびｙ方向に延在しｘ方向に並設されるドレイン信号線ＤＬ（図２参照）に囲まれた矩形状の領域（画素領域）に形成されている。
【００２６】
そして、液晶表示領域ＡＲ内の点線丸枠の部分を拡大して示した図Ａに示すように、該画素領域には、ゲート信号線ＧＬからの信号（走査信号）によってオンされる薄膜トランジスタＴＦＴと、このオンされた薄膜トランジスタＴＦＴを介しドレイン信号線ＤＬからの信号（映像信号）が供給される画素電極ＰＸが形成されている。
【００２７】
また、この液晶表示パネルはたとえばＩＰＳ等の横電界方式のものを対象とし、前記画素には前記画素電極ＰＸと近接して配置される対向電極ＣＴを備えている。この対向電極ＣＴはたとえばゲート信号線ＧＬと平行して配置されるコモン信号線ＣＬを介して前記映像信号の電位に対して基準となる電位を有する信号（基準電圧信号）が供給されるようになっている。この基準電圧信号は、たとえば、液晶の分極を回避するため極性が反転する信号となっている。
【００２８】
対向電極ＣＴに対する画素電極ＰＸの電位差に応じてそれらの間に電界が発生し、この電界の値に対応して当該画素の液晶の分子を挙動させるようになっている。
【００２９】
なお、この実施例では、前記コモン信号線ＣＬは、それぞれ、その両端においてコモンバスラインＣＢＬに接続されている。コモンバスラインＣＢＬは、各画素の集合体で構成される前記液晶表示領域ＡＲの外側であって前記シール材ＳＬの内側において形成され、該シール材ＳＬとほぼ相似形をなす環状のパターンで形成されている。このコモンバスラインはシール材ＳＬで囲まれた液晶封止領域面に形成されるため、その線幅を太くできず、したがって電気的抵抗が大きいものとして構成されるのが通常である。
【００３０】
後の説明で明らかとなるように、各画素の対向電極ＣＴには、少なくとも、このコモンバスラインＣＢＬ、前記コモン信号線ＣＬを介して基準電圧信号が供給されるようになっている。
【００３１】
図１に示した画素の構成では、図中上下に配置される各画素の対向電極ＣＴは接続がなされていないが、たとえばゲート信号線ＧＬを跨いで形成された配線を介して互いに接続されるようにしてもよい。そして、この場合、図中最上段の画素列あるいは最下段の画素列にあって、それらに近接して図中ｘ方向に走行する前記コモンバスラインが存在していることから、前記最上段の画素列および最下段の画素列の各画素の前記配線に対応する配線を前記コモンバスラインＣＢＬに接続させるようにしてもよい。このようにした場合、前記各配線とコモン信号線ＣＬとで前記コモンバスラインＣＢＬを外枠とする格子状のコモン信号供給線を構成することができる。
【００３２】
このように構成される液晶表示パネルＰＮＬは、その基板ＳＵＢ１の周辺に走査信号駆動回路の半導体装置ＣＨ（Ｖ）および映像信号駆動回路の半導体装置ＣＨ（Ｈ）が接続されるようになっている。
【００３３】
これら半導体装置ＣＨ（Ｖ）、ＣＨ（Ｈ）は、それぞれ、いわゆるテープキャリア方式によって構成される複数の半導体装置からなっている。これら各半導体装置ＣＨ（Ｖ）、ＣＨ（Ｈ）は、フレキシブル基板ＦＢに半導体チップＣＨＰが搭載されて構成され、少なくとも、該フレキシブル基板ＦＢには前記半導体チップＣＨＰを介して前記液晶表示パネルＰＮＬの信号線（ゲート信号線ＧＬ、ドレイン信号線ＤＬ）に信号を供給するための端子に導くリード（配線）（図示せず）を備えている。
【００３４】
映像信号駆動回路Ｈは、たとえば４個の半導体装置ＣＨ（Ｈ）からなり、液晶表示パネルＰＮＬの基板ＳＵＢ１の図中上側辺において、該辺に近接して配置されるプリント基板ＰＣＢとの間に跨って配置されている。プリント基板ＰＣＢは、この実施例の場合、表示パネルＰＮＬの長手方向に並設された２個のプリント基板ＰＣＢ１、ＰＣＢ２からなり、プリント基板ＰＣＢ１と液晶表示パネルＰＮＬとの間には２個の半導体装置ＣＨ（Ｈ）が跨って配置され、プリント基板ＰＣＢ２と液晶表示パネルＰＮＬとの間には２個の半導体装置ＣＨ（Ｈ）が跨って配置されている。
【００３５】
プリント基板ＰＣＢ１、ＰＣＢ２には、それぞれ、図示しない制御回路（Ｔ−ＣＯＮ）からの信号が供給され、該信号によって前記各半導体装置ＣＨ（Ｈ）を駆動させ、液晶表示パネルＰＮＬの各ドレイン信号線ＤＬに映像信号を供給するようになっている。
【００３６】
また、走査信号駆動回路Ｖは、液晶表示パネルＰＮＬの基板ＳＵＢ１の図中左側辺においてたとえば２個の半導体装置ＣＨ（Ｖ）、右側辺においてたとえば２個の半導体装置ＣＨ（Ｖ）が接続されている。
【００３７】
各ゲート信号線ＧＬには、左右の両端側の各半導体装置ＣＨ（Ｖ）から走査信号が同じタイミングで供給されるように構成し、該走査信号の波形歪みの発生を回避させている。液晶表示パネルＰＮＬの大型化に対処するためである。
【００３８】
この実施例では、図中左側の前記各半導体装置ＣＨ（Ｖ）への前記制御回路（Ｔ−ＣＯＮ）からの信号供給は、前記プリント基板ＰＣＢ１、液晶表示パネルＰＮＬの基板ＳＵＢ１の図中左側の面に形成されたＬＯＢ（Line On Glass）配線（図示せず）を介してなされるようになっている。同様に、図中右側の前記各半導体装置ＣＨ（Ｖ）への前記制御回路（Ｔ−ＣＯＮ）からの信号供給は、前記プリント基板ＰＣＢ２、液晶表示パネルＰＮＬの基板ＳＵＢ１の図中右側の面に形成されたＬＯＢ（Line On Glass）配線（図示せず）を介してなされるようになっている。このため、走査信号駆動回路である半導体装置ＣＨ（Ｖ）にあっては、映像信号駆動回路である半導体装置ＣＨ（Ｈ）のようにプリント基板（図１のプリント基板ＰＣＢ１、ＰＣＢ２に相当する）を備えていない構成となっている。
【００３９】
なお、図１においては、液晶表示パネルＰＮＬへ供給する信号の伝達経路である配線は前記基準電圧信号を伝達させるコモン配線のみを明示し、他の信号の伝達経路である配線は明示していない。図が煩雑になってしまうのを回避するためである。該コモン配線については後述する。
【００４０】
図２は、前記半導体装置ＣＨ（Ｖ）とゲート信号線ＧＬとの接続形態、および前記半導体装置ＣＨ（Ｈ）とドレイン信号線ＤＬとの接続形態を示した平面図で、前記液晶表示パネルＰＮＬのうち左上側の部分を示した図となっている。
【００４１】
最上段から所定の数のゲート信号線ＧＬは、液晶表示領域ＡＲを越えた左端側においてそれらが互いに収斂するようにして屈曲され、さらにシール材ＳＬを越えて延在され基板ＳＵＢ１上の端子（図示せず）に至るようになっている。
【００４２】
これら端子は、基板ＳＵＢ１の図中左側辺において半導体装置ＣＨ（Ｖ）の出力端子と図示しない異方性導電膜を介して電気的に接続され、かつ該異方性導電膜によって前記半導体装置ＣＨ（Ｖ）は基板ＳＵＢ１に機械的にも接続されるようになっている。
【００４３】
また、基板ＳＵＢ１の左側辺において図示されていない他の半導体装置ＣＨ（Ｖ）においても同様の構成となっている。
【００４４】
このことから、図１に示したように、半導体装置ＣＨ（Ｖ）を各ゲート信号線ＧＬの並設方向へたとえば２個設けた場合、１個の半導体装置ＣＨ（Ｖ）はゲート信号線ＧＬの全総数のうち半分を担当し、それら各ゲート信号線ＧＬに走査信号を供給する構成となる。
【００４５】
最左側から所定の数のドレイン信号線ＤＬは、液晶表示領域ＡＲを越えた上端側においてそれらが互いに収斂するようにして屈曲され、さらにシール材ＳＬを越えて延在され基板ＳＵＢ１の端子（図示せず）に至るようになっている。
【００４６】
これら端子は、基板ＳＵＢ１の図中上側辺において半導体装置ＣＨ（Ｈ）の出力端子と図示しない異方性導電膜を介して電気的に接続され、かつ該異方性導電膜によって前記半導体装置ＣＨ（Ｈ）は基板ＳＵＢ１に機械的にも接続されるようになっている。
【００４７】
これにより、図１に示したように、半導体装置ＣＨ（Ｈ）を各ドレイン信号線ＤＬの並設方向へたとえば４個設けた場合、１個の半導体装置ＣＨ（Ｈ）はドレイン信号線ＤＬの全総数のうち１／４を担当し、それら各ドレイン信号線ＤＬに映像信号を供給する構成となる。
【００４８】
再び、図１に戻り、図示しない前記制御回路（Ｔ−ＣＯＮ）から供給される基準電圧信号は、前記プリント基板ＰＣＢ１側において、該プリント基板ＰＣＢ１に形成されたコモン配線ＣＷ１、このプリント基板ＰＣＢ１と液晶表示パネルＰＮＬとの間に跨って配置された映像信号駆動回路の各半導体装置ＣＨ（Ｈ）に形成されたコモン配線ＣＷ２、液晶表示パネルＰＮＬの基板ＳＵＢ１の表面に形成されたコモン配線ＣＷ３を順次介して、前記コモンバスラインＣＢＬに導かれるようになっている。また、プリント基板ＰＣＢ２側においても上述したと同様の構成となっている。なお、前記コモン配線ＣＷ１、ＣＷ２、ＣＷ３は、前記半導体装置ＣＨ（Ｈ）をプリント基板ＰＣＢ１と液晶表示パネルＰＮＬとの間に配置させた場合に、該半導体装置ＣＨ（Ｈ）の各端子（図中正方枠で示し、図３の符号ＩＴ、ＯＴに相当する）を通して、互いに電気的に接続されるようになっている。
【００４９】
ここで、前記半導体装置ＣＨ（Ｈ）のそれぞれに形成されたコモン配線ＣＷ２は、前記半導体装置ＣＨ（Ｈ）のフレキシブル基板ＦＢにおいて、半導体チップＣＨＰの搭載領域の内部および該搭載領域の両脇をそれぞれ液晶表示パネルＰＮＬ側へ走行するたとえば３本の各配線で構成されている。本実施例の特徴は、このフレキシブル基板ＦＢ上の３本のコモン配線ＣＷ２にある。従来の構成では、通常はフレキシブル基板ＦＢ上には、半導体チップＣＨＰの両脇のみにしか形成されていなかったが、本実施例では、半導体チップＣＨＰの搭載領域を横切って形成されたコモン配線ＣＷ２を追加している。また、液晶表示パネルＰＮＬの基板ＳＵＢ１上にも搭載領域を横切ったコモン配線ＣＷ２とコモンバスラインＣＢＬを結ぶ新たなコモン配線ＣＷ３を追加している。
【００５０】
これにより、前記制御回路（Ｔ−ＣＯＮ）から供給された基準電圧信号は、前記プリント基板ＰＣＢ１、ＰＣＢ２のコモン配線ＣＷ１を介して、該半導体装置ＣＨ（Ｈ）の３本に増加された各コモン配線ＣＷ２に伝えられ、さらに、該基準電圧信号は液晶表示パネルＰＮＬの基板ＳＵＢ１上のコモン配線ＣＷ３を介して、前記コモンバスラインＣＢＬに供給されるようになっている。
【００５１】
このような構成においては、本実施例は、従来の構成よりも、コモンバスラインＣＢＬへ基準電圧信号を伝達する経路をより多く取ることが可能となる。
【００５２】
また、液晶表示パネルＰＮＬのたとえば図中左側に配置される走査信号駆動回路の各半導体装置ＣＨ（Ｖ）においても、そのフレキシブル基板ＦＢに、半導体チップＣＨＰの搭載領域の内部および該搭載領域の両脇をそれぞれ液晶表示パネルＰＮＬ側へ走行するたとえば３本のコモン配線ＣＷ４が形成されている。
【００５３】
そして、図示のように該各半導体装置ＣＨ（Ｖ）を液晶表示パネルＰＮＬに配置させた場合に、前記各コモン配線ＣＷ４は、それぞれ、該半導体装置ＣＨ（Ｖ）の端子（図中正方枠で示す）を通して、該液晶表示パネルＰＮＬの基板ＳＵＢ１上に形成されている各コモン配線ＣＷ５に電気的に接続されるようになっている。前記各コモン配線ＣＷ５は、前記半導体装置ＣＨ（Ｖ）と接続される側と反対側の端部において、環状のパターンからなる前記コモンバスラインＣＢＬのうち前記半導体装置ＣＨ（Ｖ）が配置されている側の部分で接続されるようになっている。
【００５４】
即ち、本実施例においては、半導体装置ＣＨ（Ｖ）側においても、コモンバスラインＣＢＬへ基準電圧信号を伝達する経路を従来の構成よりも増加させている。
【００５５】
尚、この実施例では、各半導体装置ＣＨ（Ｖ）は、上述したように映像信号駆動回路の各半導体装置ＣＨ（Ｈ）の場合と異なり、プリント基板を備えていない構成としているため、該半導体装置ＣＨ（Ｖ）の各コモン配線ＣＷ４への基準電圧信号の供給は、映像信号駆動回路の半導体装置ＣＨ（Ｈ）から出力される基準電圧信号を液晶表示パネルＰＮＬに形成した配線を通して行うようになっている。
【００５６】
すなわち、液晶表示パネルＰＮＬの図中左上の角部であって、互いに近接して配置される映像信号駆動回路の半導体装置ＣＨ（Ｈ）と走査信号駆動回路の半導体装置ＣＨ（Ｖ）の間の基板ＳＵＢ１上に、コモン配線ＣＷ６が形成され、このコモン配線ＣＷ６の一端側は前記コモン配線ＣＷ３のうち半導体装置ＣＨ（Ｖ）に近接する側のコモン配線ＣＷ３に接続され、他端側は前記コモン配線ＣＷ５のうち半導体装置ＣＨ（Ｈ）に近接する側のコモン配線ＣＷ５に接続されている。
【００５７】
前記半導体装置ＣＨ（Ｖ）の各コモン配線ＣＷ４は、その半導体チップＣＨＰを間にして液晶表示パネルＰＮＬと反対側の部分において互いに共通に接続されたパターンとして形成され、これにより、前記コモン配線ＣＷ６側から入力される基準電圧信号は、全ての各コモン配線ＣＷ４を通し、さらに、前記コモン配線ＣＷ５を介してコモンバスラインＣＢＬに供給されるようになっている。
【００５８】
また、走査信号駆動回路の各半導体装置ＣＨ（Ｖ）の間の基板ＳＵＢ１上に、コモン配線ＣＷ７が形成され、このコモン配線ＣＷ７の一端側は、一方の半導体装置ＣＨ（Ｖ）に接続される各コモン配線ＣＷ５のうち他方の半導体装置ＣＨ（Ｖ）に近接する側のコモン配線ＣＷ５に接続され、他端側は、他方の半導体装置ＣＨ（Ｖ）に接続される各コモン配線ＣＷ５のうち一方の半導体装置ＣＨ（Ｖ）に近接する側のコモン配線ＣＷ５に接続されている。これにより、映像信号駆動回路の半導体装置ＣＨ（Ｈ）に近接する走査信号駆動回路の半導体装置ＣＨ（Ｖ）以外の他の半導体装置ＣＨ（Ｖ）においても、その各コモン配線ＣＷ４を通して、基準電圧信号を、コモンバスラインＣＢＬに供給させることができるようになる。
【００５９】
液晶表示パネルＰＮＬの図中右側に配置される各半導体装置ＣＨ（Ｖ）においても同様の構成となっている。
【００６０】
なお、この実施例では、液晶表示パネルＰＮＬの下側辺において、コモン配線ＣＷ８が形成され、その一端は図中左側の半導体装置ＣＨ（Ｖ）に接続されるコモン配線ＣＷ５のうち該コモン配線ＣＷ８に近い側のコモン配線ＣＷ５に接続され、他端は図中右側の半導体装置ＣＨ（Ｖ）に接続されるコモン配線ＣＷ５のうち該コモン配線ＣＷ８に近い側のコモン配線ＣＷ５に接続されている。基準電圧信号を液晶表示パネルＰＮＬの下側辺にまで及んで引き回すためである。
【００６１】
そして、前記コモン配線ＣＷ８を介して供給される前記基準電圧信号は、ほぼ等間隔に配置された複数のコモン配線ＣＷ９を介して該コモン配線ＣＷ８に近接して配置されるコモンバスラインＣＢＬに供給されるようになっている。
【００６２】
また、液晶表示パネルＰＮＬの上側辺において、コモン配線ＣＷ１０が形成される。コモン配線ＣＷ１０は、各半導体装置ＣＨ（Ｈ）間のコモン配線ＣＷ３の間に接続されている。
【００６３】
このように液晶表示パネルＰＮＬに接続された各半導体装置ＣＨ（Ｈ）、ＣＨ（Ｖ）は、図中点線Ｑに示すフレキシブル基板ＦＢの部分において屈曲させ、液晶表示パネルＰＮＬの面に対して背面側へ指向させる場合がある。液晶表示装置のいわゆる狭額縁化を図るためである。
【００６４】
上述したように、各半導体装置ＣＨ（Ｈ）、ＣＨ（Ｖ）のそれぞれにあって、液晶表示パネルＰＮＬへ基準電圧信号を導くコモン配線ＣＷ２、ＣＷ４は、その半導体チップＣＨＰの搭載領域の内部を走行するものが追加されて形成されている。このため、大画面化した表示パネルにおいて、たとえ前記半導体装置ＣＨ（Ｈ）、ＣＨ（Ｖ）の数が減少した構成となっても、液晶表示パネルＰＮＬへの基準電圧信号の供給経路の減少を回避させることができる。
【００６５】
また、上述した各コモン配線ＣＷ１〜ＣＷ１０はいずれも液晶封止領域（シール材ＳＬで囲まれた領域）の外側において形成されるもので、前記コモンバスラインＣＢＬよりも線幅を太く形成でき、電気抵抗を大幅に小さくできるようになっている。このため、前記コモンバスラインＣＢＬの全ての部分にわたってほぼ同等の電位を有する基準電圧信号を供給でき、この基準電圧信号は各画素の対向電極に均等に供給できるので、画質の向上を図ることができる。
【００６６】
上記に示す例では、各半導体装置ＣＨ（Ｈ）、ＣＨ（Ｖ）において、それぞれ３本のコモン配線（ＣＷ２、ＣＷ４）を形成した。しかし、本発明においては、３本のみではなく、４本以上のコモン配線を形成してもよい。これにより、より効率よく基準電圧信号をコモンバスラインＣＢＬへ供給することが可能となる。
【００６７】
〈半導体装置ＣＨ（Ｈ）の構成〉
図３は、たとえば前記映像信号駆動回路Ｈを構成する半導体装置ＣＨ（Ｈ）の一実施例を示す構成図である。図３（ａ）は平面図を、図３（ｂ）は図３（ａ）のｂ−ｂ線における断面図を、図３（ｃ）は図３（ａ）のｃ−ｃ線における断面図を示している。
【００６８】
上述したように、前記半導体装置ＣＨ（Ｈ）は、テープキャリア方式によって形成され、樹脂材からなるフレキシブル基板ＦＢのほぼ中央に半導体チップＣＨＰが搭載され、前記フレキシブル基板ＦＢには、たとえば前記プリント基板ＰＣＢ１側の端子（図示せず）に接続される複数の各入力端子ＩＴからの信号を前記半導体チップＣＰを介して前記液晶表示パネルＰＮＬ側の端子（図示せず）に接続される複数の出力端子ＯＴに導くリード（配線）ＬＤ１、ＬＤ２が形成されて構成されている。
【００６９】
前記入力端子ＩＴ、出力端子ＯＴ、リードＬＤ１、ＬＤ２は、それぞれ、前記フレキシブル基板ＦＢのたとえば前記半導体チップＣＰの搭載される側と反対側の面に形成されている。
【００７０】
前記フレキシブル基板ＦＢの前記半導体チップＣＰが搭載される領域には透孔ＴＨが形成されている。そして、前記入力端子ＩＴのそれぞれに接続される前記リードＬＤ１の先端は前記透孔ＴＨ内に突出して形成され、これら突出部は前記半導体チップＣＰの各入力バンプＩＢＰに接続される端子ＴＭ１を構成するようになっている。また、前記出力端子ＯＴのそれぞれに接続される前記リードＬＤ２の先端は前記透孔ＴＨ内に突出して形成され、これら突出部は前記半導体チップＣＰの各出力バンプＯＢＰに接続される端子ＴＭ２を構成するようになっている。
【００７１】
半導体チップＣＨＰは、フレキシブル基板ＦＢの前記入力端子ＩＴ、出力端子ＯＴ、リードＬＤ１、ＬＤ２が形成された面と反対側から搭載され、たとえば半田を介して、その入力バンプＩＢＰは前記リードＬＤ１の端子ＴＭ１に接続され、出力バンプＯＢＰは前記リードＬＤ２の端子ＴＭ２に接続されるようになっている。
【００７２】
ここで、前記フレキシブル基板ＦＢには、前記リードＬＤ１、ＬＤ２と同様の材料で形成される前記コモン配線ＣＷ２が形成されている。
【００７３】
まず、前記コモン配線ＣＷ２は、半導体チップＣＨＰの搭載領域の両脇において、それぞれ、たとえば並列される前記リードＬＤ１、ＬＤ２の外側に位置づけられ、図中ｙ方向に延在して（液晶表示パネルＰＮＬ側へ走行して）形成されている。これら各コモン配線ＣＷ２の一端は前記リードＬＤ１に接続される入力端子ＩＴと並設された他の入力端子ＩＴと接続され、他端は前記リードＬＤ２に接続される出力端子ＯＴと並設された他の出力端子ＯＴと接続されている。
【００７４】
そして、前記コモン配線ＣＷ２は、半導体チップＣＨＰの搭載領域のたとえば中央においても、並設される前記リードＬＤ１、ＬＤ２の間に位置づけられ、図中ｙ方向に延在して（液晶表示パネルＰＮＬ側へ走行して）形成されている。該コモン配線ＣＷ２はフレキシブル基板ＦＢに形成された透孔ＴＨを跨いで形成され、その一端は前記リードＬＤ１に接続される入力端子ＩＴと並設された他の入力端ＩＴと接続され、他端は前記リードＬＤ２に接続される出力端子ＯＴと並設された他の出力端子ＯＴと接続されている。
【００７５】
該コモン配線ＣＷ２は半導体チップＣＨＰ上の電位を持たないダミーバンプと接続されていてもかまわない。
【００７６】
なお、前記半導体チップＣＰが搭載される側のフレキシブル基板ＦＢには該半導体チップＣＰを被って樹脂材が塗布されているが、図３においては、その樹脂材の描画を省略して示している。
【００７７】
これにより、前記半導体装置ＣＨ（Ｈ）をたとえばプリント基板ＰＣＢ１と液晶表示パネルＰＮＬとの間に跨って接続させた場合に、前記３個のコモン配線ＣＷ２を介して、前記プリント基板ＰＣＢ１側のコモン配線ＣＷ１からの基準電圧信号を液晶表示パネルＰＮＬ側のコモン配線ＣＷ３へ導くことができる。
【００７８】
前記半導体装置ＣＨ（Ｖ）においても、図示していないが、基本的には図３に示した構成と同様の構成となっている。
【００７９】
図３に示した構成と比較して異なる構成は、まず、図３に示す入力端子ＩＴに入力される信号は液晶表示パネルＰＮＬ側から入力されるため、該入力端子ＩＴは液晶表示パネルＰＮＬ側の辺において図３に示す出力端子ＯＴと並設されて形成されるようになっている。
【００８０】
そして、図３に示す３個のコモン配線ＣＷ２に接続される各入力端子ＩＴは形成されることはなく、その端部を図示しないコモン配線によって共通接続されるようになっている。
【００８１】
また、上記した半導体装置ＣＨ（Ｈ）、ＣＨ（Ｖ）を構成するパッケージには、透孔のないＣＯＦ（Chip On Film）の方が、上記したテープキャリア方式より好適であることはいうまでもない。
【００８２】
〈他の実施例〉
図４は、本発明による液晶表示装置の他の実施例を示す構成図で、図１に対応させて描いた図である。
【００８３】
図１の場合と比較して異なる構成は、まず、液晶表示パネルＰＮＬのゲート信号線ＧＬと直交する辺において、その左側辺にプリント基板ＰＣＢ３を、右側辺にプリント基板ＰＣＢ４を配置させていることにある。
【００８４】
そして、走査信号駆動回路である各半導体装置ＣＨ（Ｖ）は、前記プリント基板ＰＣＢ３と液晶表示パネルＰＮＬとの間、前記プリント基板ＰＣＢ４と液晶表示パネルＰＮＬとの間に跨って接続されている。
【００８５】
プリント基板ＰＣＢ３にはフレキシブル配線基板ＦＷＢ１を介してプリント基板ＰＣＢ１から各種信号および基準電圧信号が供給され、プリント基板ＰＣＢ４にはフレキシブル配線基板ＦＷＢ２を介してプリント基板ＰＣＢ２から各種信号および基準電圧信号が供給されるようになっている。
【００８６】
このため、前記半導体装置ＣＨ（Ｖ）の構成は、映像信号駆動回路である前記半導体装置ＣＨ（Ｈ）と同様に、図３に示した構成が採用され、プリント基板ＰＣＢ３あるいはＰＣＢ４側からの信号を入力させる入力端子ＩＴを備えたものとなっている。
【００８７】
すなわち、少なくとも、プリント基板ＰＣＢ３にはコモン配線ＣＷ１０が形成され、このコモン配線ＣＷ１１を介して半導体装置ＣＨ（Ｖ）上の各コモン配線（図３のコモン配線ＣＷ４に相当する）に基準電圧信号が供給され、プリント基板ＰＣＢ４にはコモン配線ＣＷ１２が形成され、このコモン配線ＣＷ１２を介して半導体装置ＣＨ（Ｖ）の各コモン配線（図３のコモン配線ＣＷ４に相当する）に基準電圧信号が供給されるようになっている。
【００８８】
このことから、図１に示したように、プリント基板ＳＵＢ１あるいはＳＵＢ２から液晶表示パネルＰＮＬ側へ各種信号および基準電圧信号を導く配線（たとえば、コモン配線ＣＷ６、ＣＷ７）を形成することのない構成とすることができる。
【００８９】
図５は、本発明による液晶表示装置の他の実施例を示す構成図で、図１に対応させて描いた図である。
【００９０】
図１の場合と比較して異なる構成は、まず、液晶表示パネルＰＮＬのゲート信号線ＧＬと直交する辺において、たとえば左側辺のみに半導体装置ＣＨ（Ｖ）を配置させた構成としていることにある。すなわち、各ゲート信号線ＧＬへの走査信号の供給は該各ゲート信号線ＧＬの一端側からのみ行っていることにある。
【００９１】
この場合において、コモンバスラインＣＢＬは、図１に示したように環状のパターンとせず、映像信号駆動回路の半導体装置ＣＨ（Ｈ）が接続された辺側および走査信号駆動回路の半導体装置ＣＨ（Ｖ） が接続された辺側のみに形成するようにしてもよい。
【００９２】
上述した実施例では、半導体装置ＣＨ（Ｈ）、ＣＨ（Ｖ）に形成されるコモン配線ＣＷ２、ＣＷ４のうち半導体チップＣＨＰの搭載領域の内部を走行する配線は一つとしたものである。しかし、これに限定されることはなく、２個あるいはそれ以上であってもよいことはいうまでもない。
【００９３】
上述した各実施例はそれぞれ単独に、あるいは組み合わせて用いても良い。それぞれの実施例での効果を単独であるいは相乗して奏することができるからである。
【図面の簡単な説明】
【００９４】
【図１】本発明による液晶表示装置の一実施例を示す平面図である。
【図２】本発明による液晶表示装置に備えられる半導体装置の一実施例を示す構成図である。
【図３】本発明による液晶表示装置に備えられる半導体装置の信号線との接続関係を示した平面図である。
【図４】本発明による液晶表示装置の他の実施例を示す平面図である。
【図５】本発明による液晶表示装置の他の実施例を示す平面図である。
【符号の説明】
【００９５】
ＰＮＬ……液晶表示パネル、ＳＵＢ１、ＳＵＢ２……基板、ＳＬ……シール材、ＡＲ……液晶表示領域、ＰＣＢ１〜ＰＣＢ４……プリント基板、ＣＨ（Ｈ）……半導体装置（映像信号駆動回路）、ＣＨ（Ｖ）……半導体装置（走査信号駆動回路）、ＦＢ……フレキシブル基板、ＣＨＰ……半導体チップ、ＧＬ……ゲート信号線、ＤＬ……ドレイン信号線、ＣＬ……コモン信号線、ＴＦＴ……薄膜トランジスタ、ＰＸ……画素電極、ＣＴ……対向電極、ＣＷ１〜ＣＷ１２……コモン配線、ＬＤ１、ＬＤ２……リード（配線）、ＩＴ……入力端子、ＯＴ……出力端子、ＦＷＤ１、ＦＷＤ２……フレキシブル配線基板。
【図１】
2008287038.tif 000003
【図２】
2008287038.tif 000004
【図３】
2008287038.tif 000005
【図４】
2008287038.tif 000006
【図５】
2008287038.tif 000007